(57)【要約】本発明は、無線通信用アンテナに関する。無線通信用アンテナは、一端部と側面部がふさがった筒形態のホルダー部１１１と、ホルダー部１１１のふさがった端部に一端が連結される主ロッド部１１２とを有する。無線通信用アンテナは、さらに、主ロッド部１１２に直列に連結される一つ以上の補助ロッド部を有する。【選択図】図３Ａ
2005507596.tif 000002
【特許請求の範囲】
【請求項１】
無線通信用アンテナであって、
一端部と側面部とがふさがった筒形態のホルダー部と、
一端が上記ホルダー部の上記ふさがった端部に連結される主ロッド部と、を有すること
を特徴とする無線通信用アンテナ
【請求項２】
請求項１に記載の無線通信用アンテナであって、
上記主ロッド部は、スティック形状であること
を特徴とする無線通信用アンテナ。
【請求項３】
請求項１に記載の無線通信用アンテナであって、
上記主ロッド部は、コイル形状であること
を特徴とする無線通信用アンテナ。
【請求項４】
請求項１に記載の無線通信用アンテナであって、
上記主ロッド部は両面に短いスティックが接合された平板形状であること
を特徴とする無線通信用アンテナ。
【請求項５】
請求項４に記載の無線通信用アンテナであって、
上記平板は、円弧型しわが形成されていること
を特徴とする無線通信用アンテナ。
【請求項６】
請求項１に記載の無線通信用アンテナであって、
上記主ロッド部は、板材をジグザグに切曲させた形状であること
を特徴とする無線通信用アンテナ。
【請求項７】
請求項１に記載の無線通信用アンテナであって、
上記主ロッド部に直列に連結される一つ以上の補助ロッド部をさらに有すること
を特徴とする無線通信用アンテナ。
【請求項８】
請求項７に記載の無線通信用アンテナであって、
上記補助ロッド部は、スティック形状、コイル形状、平板形状、および板材をジグザグに切曲させた形状の中いずれか一つまたはそれらの複合した複数個が直列連結されたものであること
を特徴とする無線通信用アンテナ。
【請求項９】
請求項７に記載の無線通信用アンテナであって、
上記補助ロッド部は、基板上に形成されたパターンであること
を特徴とする無線通信用アンテナ。
【請求項１０】
請求項７に記載の無線通信用アンテナであって、
上記ロッド部が互いに連結される位置に所定帯域の互いに異なる信号を引出するための接続端子が形成されていること
を特徴とする無線通信用アンテナ。
【請求項１１】
請求項７に記載の無線通信用アンテナであって、
上記ホルダー部、上記主ロッド部、および上記補助ロッド部は、メッキ処理が施されていること
を特徴とする無線通信用アンテナ。
【請求項１２】
請求項１に記載の無線通信用アンテナであって、
上記主ロッド部は、上記ホルダー部の上記ふさがった端部の内側に接合され、上記ホルダー部の上記側面部の内壁と離れていること
を特徴とする無線通信用アンテナ。
【請求項１３】
請求項１に記載の無線通信用アンテナであって、
上記主ロッド部は、上記ホルダー部の上記ふさがった端部の外側に接合されていること
を特徴とする無線通信用アンテナ。
【請求項１４】
請求項１に記載の無線通信用アンテナであって、
上記ホルダー部は、円筒状であること
を特徴とする無線通信用アンテナ。
【請求項１５】
請求項１に記載の無線通信用アンテナであって、
上記ホルダー部は、多角筒型であること
を特徴とする無線通信用アンテナ。
【請求項１６】
請求項１に記載の無線通信用アンテナであって、
上記ホルダー部は、しわ管型であること
を特徴とする無線通信用アンテナ。
【請求項１７】
請求項１に記載の無線通信用アンテナであって、
上記ホルダー部は、半球型であること
を特徴とする無線通信用アンテナ。
【請求項１８】
請求項１に記載の無線通信用アンテナであって、
上記ホルダー部と上記主ロッド部とは分離製作され、
上記ホルダー部の上記ふさがった端部には穴が形成され、
上記主ロッド部の一側端部には段差部が形成され、
上記主ロッド部が上記ホルダー部の上記穴に挿入されて上記無線通信用アンテナを構成すること
を特徴とする無線通信用アンテナ。
【請求項１９】
請求項１８に記載の無線通信用アンテナであって、
上記ホルダー部と上記主ロッド部とはそれぞれ独立したパッケージ形態で分離製作されて、
上記ホルダー部と上記主ロッド部とをそれぞれ該当のソケットのコネクターに挿入されて上記無線通信用アンテナを構成すること
を特徴とする無線通信用アンテナ。
【請求項２０】
多段無線通信用アンテナであって、
一端部および側面部がふさがった筒形態のホルダー部と、一端が上記ホルダー部の上記ふさがった端部に連結される主ロッド部とで無線通信用アンテナが構成されていて、
上記無線通信用アンテナの複数個が多段で直列連結されていて、上記無線通信用アンテナの主ロッド部の端部が次の段の上記無線通信用アンテナのホルダー部のふさがった端部に直列に接合されていること
を特徴とする多段無線通信用アンテナ。
【請求項２１】
請求項２０に記載の多段無線通信用アンテナであって、
上記無線通信用アンテナの主ロッド部は、スティック形状、コイル形状、平板形状、および板材をジグザグに切曲させた形状の中いずれか一つであること
を特徴とする多段無線通信用アンテナ。
【請求項２２】
請求項２０に記載の多段無線通信用アンテナであって、
上記無線通信用アンテナ中の終わり段の無線通信用アンテナの主ロッド部に直列に連結される一つ以上の補助ロッド部をさらに有すること
を特徴とする多段無線通信用アンテナ。
【請求項２３】
請求項２０に記載の多段無線通信用アンテナであって、
上記補助ロッド部は互いに直列に連結され、
上記補助ロッド部が互いに連結される位置に所定帯域の互いに異なる信号を引出するための接続端子が形成されていること
を特徴とする多段無線通信用アンテナ。
【請求項２４】
請求項２０に記載の多段無線通信用アンテナであって、
上記補助ロッド部は、スティック形状、コイル形状、平板形状、および板材をジグザグに切曲させた形状の中いずれか一つまたはそれらの複合された複数個が直列連結されたこと
を特徴とする多段無線通信用アンテナ。
【請求項２５】
２段無線通信用アンテナであって、
一端部と側面部とがふさがった筒形態の第１ホルダー部と、
一端部と側面部とがふさがった筒形態の第２ホルダー部と、
一端が上記第１ホルダー部の上記ふさがった端部に接合されて上記第１ホルダー部と電気的に連結される第１主ロッド部と、
一端が上記第２ホルダー部の上記ふさがった端部に接合されて上記第２ホルダー部と電気的に連結される第２主ロッド部と、
上記第１主ロッド部と上記第２主ロッド部との間に直列に連結される一つ以上の補助ロッド部とを有すること
を特徴とする２段無線通信用アンテナ。
【請求項２６】
請求項２５に記載の２段無線通信用アンテナであって、
上記補助ロッド部は、スティック形状、コイル形状、平板形状、および板材をジグザグに切曲させた形状の中いずれか一つまたはそれらの複合された複数個が直列連結されたこと
を特徴とする２段無線通信用アンテナ。
【請求項２７】
複合無線通信用アンテナであって、
一端部と側面部とがふさがった筒形態のホルダー部および一端が上記ホルダー部のふさがった端部に連結される主ロッド部を有する主無線通信用アンテナと、
一端部と側面部とがふさがった筒形態のホルダー部および一端が上記ホルダー部のふさがった端部に連結される主ロッド部を有する一つ以上の補助無線通信用アンテナと、
一面が上記主無線通信用アンテナの主ロッド部に直列に繋がれ、他面に接続のための短いスティックが付いている平板形状の接続ロッド部と、を有し、
上記それぞれの補助無線通信用アンテナの主ロッド部は、上記接続ロッド部の一面に直列に連結され、かつ上記主無線通信用アンテナとは並列に上記接続ロッド部に連結されること
を特徴とする複合無線通信用アンテナ。
【請求項２８】
請求項２７に記載の複合無線通信用アンテであって、
上記補助無線通信用アンテナ中の一つ以上の補助無線通信用アンテナは、上記接続ロッド部に連結され、かつ上記主無線通信用アンテナが連結された面と同じ面に連結されていること
を特徴とする複合無線通信用アンテナ。
【請求項２９】
請求項２７に記載の複合無線通信用アンテであって、
上記補助無線通信用アンテナ中の一つ以上の補助無線通信用アンテナは、上記接続ロッド部に連結され、かつ上記主無線通信用アンテナが連結された面の反対面に連結されていること
を特徴とする複合無線通信用アンテナ。
【請求項３０】
請求項２７に記載の複合無線通信用アンテであって、
上記接続ロッド部のスティック端部に直列に連結される一つ以上の補助ロッド部をさらに有すること
を特徴とする複合無線通信用アンテナ。
【請求項３１】
請求項３０に記載の複合無線通信用アンテであって、
上記補助ロッド部は互いに直列に連結され、
上記補助ロッド部が互いに連結される位置に所定帯域の互いに異なる信号を引出するための接続端子が形成されていること
を特徴とする複合無線通信用アンテナ。
【請求項３２】
請求項２７に記載の複合無線通信用アンテであって、
上記主無線通信用アンテナの主ロッド部は、ホルダー部のふさがった端部の外側に接合されていること
を特徴とする複合無線通信用アンテナ。
【請求項３３】
請求項２７に記載の複合無線通信用アンテであって、
上記補助無線通信用アンテナの中一つ以上の補助無線通信用アンテナの主ロッド部は、自身が属する補助無線通信用アンテナのホルダー部のふさがった端部の外側に接合されていること
を特徴とする複合無線通信用アンテナ。
【発明の詳細な説明】
【技術分野】
【０００１】
本発明は、無線通信用アンテナに関するものであって、特に大きさが小さいながらも高出力で通信することができ周波数特性および利得がよく、固定局と固定局との間または固定局と移動局との間の無線通信アンテナに適合し、特に移動通信端末機等の外装及び内蔵型アンテナとして適合した無線通信端末機用エヌエックス(nX)アンテナに関する。
【０００２】
ここでエヌエックス(nX)アンテナとは、本発明によって提案されるアンテナの構造的特性による電気的導電の流れの形態を取って名付けたもので、以下本発明を説明するにおいては、「エヌエックスアンテナ」と称する。
【背景技術】
【０００３】
現在世界的なアナログ・デジタル通信技術の急速な発展で、セルラー、ＰＣＳ、ＧＳＭ、ＰＨＳ、人工衛星を利用したイリジウム(Iridium)サービス、およびＩＭＴ２０００サービス等多様な種類の移動通信サービスが試行されている。また、移動通信サービスだけでなく無線ＬＡＮや無線装置（radios）、近距離器機間の無線通信等々の多様な分野に無線通信が利用されており、無線通信分野がますます拡がっている。
【０００４】
例えば、移動通信用端末機のアンテナは、両方向通信が可能で携帯が簡便ではなければならない等の要求によって、主に無指向性の収納可能型アンテナ(Retractable Antenna)を使用する。市販されている端末機のアンテナは信号待機状態に適合したアンテナと通話状態に適合したアンテナとが組み合わされた形態で、線型偏波(Linear Polarization)信号の送受信の容易なアンテナが使用される。
【０００５】
端末機上端に突出している部分は、普通スプリング形状のヘリカル(helical)アンテナと、通話品質を高めるために上端に引っ張り上げて使用するモノポール(monopole)形態のホイップ(Whip)アンテナとを結合した形態のアンテナが主従を成している。携帯電話、無線装置（radios）、個人携帯通信等の移動体相互間、または移動体と固定された地点と間の無線通信を遂行するための移動通信端末機におけるアンテナは、よくホイップアンテナ(whip antenna)とヘリカルアンテナ(helical antenna)とを組み合わせた形式を使用している。
【０００６】
図１は、従来のヘリカル-ホイップ結合型アンテナを図示した概念図である。
【０００７】
図１を参照して、従来のヘリカル-ホイップ結合型アンテナを説明する。基本形の構造は、ヘリカルアンテナ２とホイップアンテナ３とで構成される。ヘリカルアンテナ２は、長さがそれぞれ大略Λ/4の変形である螺旋導体を有する。ホイップアンテナ３は、モノポール形態である。主に信号待機状態及び電波環境が良好な時にはヘリカルアンテナ２が単独で動作し、電波環境が劣悪な所ではホイップアンテナ３が本体１から引出された状態で二つのアンテナ(２、３)が同時に動作する。
【０００８】
上記のアンテナは、ヘリカルアンテナ２の位置によって種類が分けられ、給電方式及び二つのアンテナの結合方式によって多くの変形がある。ヘリカルアンテナ２がホイップアンテナ３の端部に結合された形態の移動通信端末機用アンテナは、外国のＰＣＳ端末機モデル及び国内製品でも代表的なアンテナとして使用されている。
【０００９】
このようなアンテナは、移動通信用アンテナ専門製作会社であるスウェーデンのアルゴン(Allgon)社の製品が代表的であり、ヘリカルアンテナが端末機本体に結合された形態、すなわちヘリカルアンテナとホイップアンテナの下側の給電点とが同一の金属コネクター４に連結されている。アメリカモートローラ(Motorola)社は、基本形態が同一であるが給電方法を異にしたアンテナを製作して自社の端末機の一部のモデルに装着して使用している。初期の韓国のセルラー端末機モデルは、全量このような形態のアルゴン社のアンテナを使用した。
【００１０】
しかし、このような、従来の移動通信用アンテナは、端末機外部にアンテナが突出された形態で構成されるので、突出されたアンテナが外部にひっかかり折れたり破損の恐れがある。また、従来の移動通信用アンテナでは、移動電話端末機をポケットに入れて回る場合、アンテナが引っかかるため出し入れが不便であった。
【００１１】
また、アンテナは、使用される周波数の特性によって、上記のような構造ではその大きさを小さくすることに限界があるため、端末機の大きさが徐々に小さくなっているのに反してアンテナの大きさは小さくすることができず、アンテナが端末機に占める面積が大きくなり、突出した形態でのみ製作している実情がある。
【００１２】
また、従来のアンテナは、アンテナの性能の限界により、通話中の雑音及び途切れ等の通話品質を低下させるという最大の短所があった。
【００１３】
図２Ａ及び２Ｂは、より改善された従来のアンテナの構成を示した断面図である。
【００１４】
上記短所を克服するために提案された従来の移動電話端末機の内蔵型アンテナ(１０、２０)は、図２Ａ及び図２Ｂに図示されたように、第１本体部(１１、２１)と、第２本体部(１２、２２)と、スペイサー(１３、２３)と、アンテナ棒(1１４、２４)とで構成される。
【００１５】
第１本体部(１１、２１)および第２本体部(１２、２２)は、導体から成っていて、上面と側面が密閉されており、下面が設けられずに開口されている。第１本体部(１１、２１)および第２本体部(１２、２２)の直径及びその長さは、送受信の周波数帯域及びその利得によって決まる。アンテナ棒(１４、２４)は、導体棒で成っており、第１本体部(１１、２１)および第２本体部(１２、２２)の上面に内側へ結合されて互いに連結して固定される。スペイサー(１３、２３)は、不導体から成っており、第１本体部(１１、２１)と第２本体部(１２、２２)との開口部に結合されて、第１本体部(１１、２１)と第２本体部(１２、２２)との間の間隔を維持する。アンテナは、スペイサー(１３、２３)が位置した第１本体部(１１、２１)と第２本体部(１２、２２)との間の間隔を微細調整してセットさせることができるようになっている。
【００１６】
ここで通常的なダイポールアンテナは、陽極部と陰極部とから成る。一般的に陰極部としては、基板自体の接地や基板に形成された陰極パターンが使用され、陽極部としてはアンテナの構造体自体が使用される。本発明の説明においても陽極部をアンテナと称し、整合回路やその他回路的な説明は省略する。
【００１７】
アンテナ(１０、２０)は、基板の外側に設置される。アンテナコネクターは基板のアンテナ回路部と電気的に連結され、かつ基板に設置される。ダイポールアンテナではアンテナ(１０、２０)が陽極部として使用され、回路基板が陰極部として使用されたり、基板に別に形成された陰極部が使用される。このようなアンテナは、移動電話端末機のケース内部に装着することができる構造で構成される。アンテナ(１０、２０)である陽極部に対応する陰極部としては導電パターンが使用されたり、または陽極部と同一な構造のアンテナの構造体を設置して陰極部として使用されることもできる。
【００１８】
このように、第１本体部(１１、２１)と第２本体部(１２、２２)とスペイサー(１３、２３)とアンテナ棒(１４、２４)とで構成されたアンテナ構造では表面の電気的な流れのパターンによって位相反転が繰り返されて共振が成り立つことで、外形上としては小さな長さのアンテナだけでも所望の利得と周波数特性を得ることができるようになる。
【００１９】
このようなアンテナは、その設置の位置を基板の左側、右側、上端、下端の中いずれの位置にも設置が可能であり、アンテナの陽極部に対応して陰極部を基板に導電パターンで形成することもでき、アンテナを同一な構造として２個設置して陽極部と陰極部とで連結することもできるが、この時に並んで設置することもでき、互いに垂直または水平に分離して設置することもできる。
【００２０】
ところで、上記のようなアンテナ構造において、二つの本体部を互いに溝が対向するように結合させる時に不導体のスペイサーを間隔維持部として形成し、アンテナ棒を本体部両端部でねじまたは段差部を利用して結合されるように構成すれば構成部材の数量が多くなる。また、アンテナ棒は、本体部の溝内側に結合されるように長く構成しなければならないので、構造物の体積が大きくなって原資材の所要が大きくなり軽量化を志向する製品特性に合わず、組み立て時間が多くかかり作業性が劣り、製作費用が浪費されるという問題点があった。
【００２１】
また、このような構成において両端部がふさがった状態の構造として設置されるので、アンテナを基板の回路部に連結及び装着する構造での運用幅が制限されるという問題点があった。
【発明の開示】
【００２２】
本発明の第１の目的は、移動通信用アンテナで小型化及び軽量化だけでなく受信感度を向上させて通信品質を高めるようにすることである。
【００２３】
本発明の第２の目的は、アンテナの外形の長さを縮ながらも電気が通じる表面の長さを長くすることにある。
【００２４】
上記目的を達成するための本発明の第1の態様は、無線通信用アンテナであって、一端部と側面部とがふさがった筒形態のホルダー部と、一端がそのホルダー部のそのふさがった端部に連結される主ロッド部とを有する。上記無線通信用アンテナは、上記主ロッド部に直列に連結される一つ以上の補助ロッド部をさらに有することとしてもよい。また、上記主ロッド部は、スティック形状、コイル形状、平板形状、および板材をジグザグに切曲させた形状の中いずれか一つである。上記補助ロッド部は、スティック形状、コイル形状、平板形状、および板材をジグザグに切曲させた形状の中いずれか一つまたはそれらの複合された複数個が直列連結されたものである。また、上記ロッド部が互いに連結される位置に所定帯域の互いに異なる信号を引出するための接続端子が形成されている。上記ホルダー部、上記主ロッド部、および上記補助ロッド部は、メッキ処理されている。
【００２５】
さらに、上記主ロッド部は、上記ホルダー部のふさがった端部の内側に接合されることもでき、上記ホルダー部のそのふさがった端部の外側に接合されることもできる。また、上記主ロッド部が上記ホルダー部のそのふさがった端部の内側に接合される場合、上記ホルダー部の内壁と離れており、上記主ロッド部の長さは、上記ホルダー部の長さより長い。上記ホルダー部は、円筒状や多角筒状やしわ管型であることもできる。また、上記ホルダー部は、中が空いた半球型やキャップ型であることもできる。上記ホルダー部、上記主ロッド部、および上記補助ロッド部は、メッキ処理されている。
【００２６】
また、上記ホルダー部と上記主ロッド部とは分離製作され、上記ホルダー部の上記ふさがった端部には穴が形成され、上記主ロッド部の一側端部には段差部が形成され、上記主ロッド部が上記ホルダー部の上記穴に挿入されて上記無線通信用アンテナを構成することもできる。
【００２７】
上記目的を達成するための本発明の第２の態様は、多段無線通信用アンテナであって、一端部および側面部がふさがった筒形態のホルダー部と、一端が上記ホルダー部の上記ふさがった端部に連結される主ロッド部とで無線通信用アンテナが構成されていて、上記無線通信用アンテナの複数個が多段で直列連結されていて、上記無線通信用アンテナの主ロッド部の端部が次の段の上記無線通信用アンテナのホルダー部のふさがった端部に直列に接合されている。多段無線通信用アンテナは、その無線通信用アンテナ中の終わりの段の無線通信用アンテナの主ロッド部に直列に連結される一つ以上の補助ロッド部をさらに含むことができる。
【００２８】
上記目的を達成するための本発明の第３の態様は、２段無線通信用アンテナであって、一端部と側面部とがふさがった筒形態の第１ホルダー部と、一端部と側面部がふさがった筒形態の第２ホルダー部と、一端がその第１ホルダー部のそのふさがった端部に接合されてその第１ホルダー部と電気的に連結される第１主ロッド部と、一端がその第２ホルダー部のそのふさがった端部に接合されてその第２ホルダー部と電気的に連結される第２主ロッド部と、その第１ロッド部とその第２主ロッド部との間に直列に連結される一つ以上の補助ロッド部とを有する。
【００２９】
上記目的を達成するための本発明の第４の態様は、複合無線通信用アンテナであって、上記第１の態様によって製作された主無線通信用アンテナと、第１の態様によって製作された一つ以上の補助無線通信用アンテナと、一面がその主無線通信用アンテナの主ロッド部に直列に連結されて他面に接続のための短いスティックが付いている平板形状の接続ロッド部とを有する。それぞれの補助無線通信用アンテナの主ロッド部は、その接続ロッド部に直列に連結され、その主無線通信用アンテナと並列にその接続ロッド部に連結される。その補助無線通信用アンテナは、その接続ロッド部に連結され、その複合無線通信用アンテナは、その接続ロッド部のその接続端子に直列に連結される一つ以上の補助ロッド部をさらに含む。その補助ロッド部は、互いに直列に連結され、その補助ロッド部が互いに連結される位置に所定帯域の互いに異なる信号を引出するためのコネクターが接続されることができる。
【００３０】
複合無線通信用アンテナのその主無線通信用アンテナとその補助無線通信用アンテナは、それぞれ自身のホルダー部と主ロッド部がパッケージ形態で結合され製作され、その接合ロッド部とその補助ロッド部とはそれぞれパッケージ形態で分離製作され、その主無線通信用アンテナとその補助無線通信用アンテナとその接合ロッド部とその補助ロッド部とはそれぞれ該当のソケットのコネクターに挟んで組み立てる構成とすることができるようになっている。
【００３１】
本発明のホルダー部は、アンテナの外形の長さを縮めながらも電気が通じる表面の長さを長くすることができる構造である。表面の長さを長くするために、ホルダー部の側壁をしわが寄るように形成することができる。このように本発明による無線通信用アンテナは、電気的な流れがロッド部、ホルダー部の溝内部及びホルダー部の外表面を通じて流れながら導電の長さが長くなって周波数共振が発生されてアンテナの特性が向上される。その結果、本発明による無線通信用アンテナは、外形の大きさ及び長さを非常に小さく構成することができ、周波数共振特性が向上されて高出力特性を持つようになる。また、本発明によるアンテナはホルダー部およびロッド部、多段ロッド部の接続位置でそれぞれ電波の位相反転が成るが、位相の交差点の中央部を中心に英文字アルファベット"X"字形を成すので、ロッド部を多段で構成したり、多段無線通信用アンテナで構成することによってX字形の回数(n)が増加される。そのため、本発明ではエヌエックス(nX)形態の電気的流れが発生されることができる。アンテナの名称をエヌエックス(nX)アンテナと称する。
【００３２】
本発明は、上記ホルダー部とロッド部とから成るアンテナを基板のアンテナ回路部に連結するための連結手段は、上記ホルダー部またはロッド部またはコイル部の端部を直接基板に熔接したり、挟んで基板の回路部に連結するコネクターで構成することに特徴がある。
【００３３】
さらに、本発明によるエヌエックスアンテナは、基板に形成した導電パターンによって陰極部を構成することができる。導電パターとしては多様な形態が可能であるが、望ましくは上記エヌエックスアンテナの断面のような形態を持った導電パターンで構成し、陽極部であるアンテナと陰極部である導電パターンとの周波数整合性能を高めるようにする。
【００３４】
また、本発明のエヌエックスアンテナは、ＰＣＳ、ＤＣＳ、ＧＰＳ等多様な周波数帯域で使用することができるアンテナとして応用して構成することができる。これは、アンテナのロッド部を多段で構成し、周波数特性によってアンテナの長さを決める整合点を任意の位置に設計してコネクターを接続する。各コネクターに周波数帯域に合う整合回路を連結してその整合回路を選択することで、一つのアンテナを利用して多様な周波数帯域に応用することができるようになる。
【発明を実施するための最良の形態】
【００３５】
以下、本発明の望ましい実施例を添付した図面を参照して詳しく説明する。
【００３６】
図３Ａは、本発明によるエヌエックスアンテナの第１実施例を示す斜視図で、図３Ｂは、本発明によるエヌエックスアンテナの第１実施例を示す構造図である。図３Ａおよび３Ｂを参照して第１実施例を説明する。
【００３７】
ホルダー部１１１の端部(上面)にスティック型ロッド部１１２が連結される。スティック型ロッド部１１２は、ホルダー部１１１の側面部の内壁とは互いに離れている。スティック型ロッド部１１２は、ホルダー部１１１より長い。そのため、スティック型ロッド部１１２は、ホルダー部１１１の外へ所定の長さだけ延長された様子をもつことになる。これはホルダー部１１１の内部にスティック型ロッド部１１２が位置して内部的な電波共振效果を高めてアンテナの全体の長さを縮めることができる。そして、そのスティック型ロッド部１１２に接続端子を形成して必要な波長の電波を回路に連結することができる。
【００３８】
図３Ｃは、本発明によるエヌエックスアンテナの第２実施例を示す構造図である。図３Ｃを参照して第２実施例を説明する。
【００３９】
第２実施例は、ホルダー部１２１とスティック型ロッド部１２２とを有する第１実施例のような基本構造で、スティック型ロッド部１２２にコイル型ロッド部１２３をさらに連結する。このような複合構造のアンテナは、ホルダー部１２１とスティック型ロッド部１２２とコイル型ロッド部１２３とが連結された形態である。スティック型ロッド部１２２にコイル型ロッド部１２３を連結する理由は、周波数特性上アンテナの長さを長くする必要がある場合、すなわち低い周波数帯域に対して使用される際にアンテナの実際の長さは維持しながら全体有效長さをふやすためである。そして、そのスティック型ロッド部１２２とコイル型ロッド部１２３に一つ以上の接続端子を形成して必要な波長の電波を回路に連結することができる。また、コイル型ロッド部１２３に再びスティック型ロッド部、コイル型ロッド部、板型ロッド部、ジグザグ型ロッド部等一つ以上の任意のロッド部をさらに連結してそれぞれに一つ以上の接続端子を形成して必要な波長の電波を回路に連結することもできる。
【００４０】
図３Ｄは、本発明によるエヌエックスアンテナの第３実施例を示す構造図である。図３Ｄを参照して第３実施例を詳しく説明する。
【００４１】
第３実施例は、ホルダー部１３１とスティック型ロッド部１３２とを有する第１実施例のような基本構造で、スティック型ロッド部１３２に板材をジグザグに切曲させた形状であるジグザグ型ロッド部１３３をさらに連結する。ジグザグ型ロッド部１３３は、両端に接続端子がある。このような複合構造のアンテナは、ホルダー部１３１とスティック型ロッド部１３２とジグザグ型ロッド部１３３とが連結された形態である。スティック型ロッド部１３２にジグザグ型ロッド部１３３を連結する理由は、周波数の特性上、アンテナの長さを長くする必要がある場合、すなわち低い周波数帯域に対して使用される際にアンテナの実際の長さは維持しながら全体有效長さをふやすためである。第３実施例のジグザグ型ロッド部１３３は、第２実施例のコイル型ロッド部１２３とその機能が同じである。そして、そのスティック型ロッド部１３２とジグザグ型ロッド部１３３に一つ以上の接続端子を形成して必要な波長の電波を回路に連結することができる。また、ジグザグ型ロッド部１３３に再びスティック型ロッド部、コイル型ロッド部、板型ロッド部、ジグザグ型ロッド部等一つ以上の任意のロッド部をさらに連結してそれぞれに一つ以上の接続端子を形成し、必要な波長の電波を回路に連結することもできる。
【００４２】
図３Ｅは、本発明によるエヌエックスアンテナの第４実施例を示す斜視図である。図３Ｅを参照して第４実施例を説明する。
【００４３】
第４実施例は、ホルダー部１４１とスティック型ロッド部１４２とを有する第１実施例のような基本構造で、スティック型ロッド部１４２に板型ロッド部１４３をさらに連結する。このような複合構造のアンテナは、ホルダー部１４１とスティック型ロッド部１４２と板型ロッド部１４３とが連結された形態である。スティック型ロッド部１４２に板型ロッド部１４３を連結する理由は、周波数の特性上、アンテナの長さを長くする必要がある場合、すなわち低い周波数帯域に対して使用される際にアンテナの実際の長さは維持しながら全体有效長さをふやすためである。本第４実施例の板型ロッド部１４３は、第２実施例のコイル型ロッド部１２３及び第３実施例のジグザグ型ロッド部１３３とその機能が同じである。そして、そのスティック型ロッド部１４２と板型ロッド部１４３に一つ以上の接続端子を形成して必要な波長の電波を回路に連結することができる。また、板型ロッド部１４３に再びスティック型ロッド部、コイル型ロッド部、板型ロッド部、ジグザグ型ロッド部等一つ以上の任意のロッド部をさらに連結してそれぞれに一つ以上の接続端子を形成し、必要な波長の電波を回路に連結することもできる。
【００４４】
図３Ｆは、本発明によるエヌエックスアンテナの第５実施例を示す構造図である。図３Ｆを参照して第５実施例を詳しく説明する。
【００４５】
第５実施例は、図３Ａおよび図３Ｂに図示された第１実施例の基本構造に該当のアンテナが使用される周波数の特性によって長さを長くしなければならない場合、第１ホルダー部１５１と第１スティック型ロッド部１５２とを有する第1実施例のような基本構造の第１アンテナと、第２ホルダー部１５３と第２スティック型ロッド部１５４とを有する同じ基本構造の第２アンテナとを互いに連結する。第５実施例は、第１スティック型ロッド部１５２の端部を第２ホルダー部１５３の上面の外側に連結して２段で構成する。このような結合方式で多段構成が可能である。そして、その第１スティック型ロッド部１５２と第２スティック型ロッド部１５４に一つ以上の接続端子を形成して必要な波長の電波を回路に連結することができる。また、第２スティック型ロッド部１５４に再びスティック型ロッド部、コイル型ロッド部、板型ロッド部、ジグザグ型ロッド部等一つ以上の任意のロッド部をさらに連結してそれぞれに一つ以上の接続端子を形成し、必要な波長の電波を回路に連結することもできる。
【００４６】
図３Ｇは、本発明によるエヌエックスアンテナの第６実施例を示す構造図である。図３Ｇを参照して第６実施例を詳しく説明する。
【００４７】
第６実施例は、第２実施例および第５実施例を結合した形態である。第１ホルダー部１６１と第２ホルダー部１６３と第１スティック型ロッド部１６２と第２スティック型ロッド部１６４とを有する第５実施例のような構造で第２スティック型ロッド部１６４にコイル型ロッド部１６５をさらに連結する。すなわち、多段構造にコイル型ロッド部１６５をさらに追加して多段複合構造を構成することができる。スティック型ロッド部１６４にコイル型ロッド部１６５を連結する理由は、周波数の特性上、アンテナの長さをさらに長くする必要がある場合、すなわち低い周波数帯域に対して使用される際にアンテナの実際の長さは維持しながら全体有效長さをふやすためである。そして、その第１スティック型ロッド部１６２、第２スティック型ロッド部１６４、およびコイル型ロッド部１６５に一つ以上の接続端子を形成して必要な波長の電波を回路に連結することができる。また、そのコイル型ロッド部１６５に再びスティック型ロッド部、コイル型ロッド部、板型ロッド部、ジグザグ型ロッド部等一つ以上の任意のロッド部をさらに連結してそれぞれに一つ以上の接続端子を形成し、必要な波長の電波を回路に連結することもできる。
【００４８】
第６実施例の変形例として、上述したような方式で第５実施例および第３実施例を結合してアンテナを作ることもでき、第５実施例および第４実施例を結合してアンテナを作ることもできる。
【００４９】
図３Ｈは、本発明によるエヌエックスアンテナの第７実施例を示す構造図である。図３Ｈを参照して第７実施例を詳しく説明する。
【００５０】
第７実施例は、ホルダー部１７１とスティック型ロッド部１７２とを有する第１実施例のような基本構造の第１アンテナと、ホルダー部１７３とスティック型ロッド部１７４とを有する同じ基本構造の第２アンテナとを有し、スティック型ロッド部(１７２、１７４)どうし互いに見合わせるようにして両側のスティック型ロッド部(１７２、１７４)の間にコイル型ロッド部１７５を連結したものである。この場合に、コイル型ロッド部１７５の代りに所定直径の板型ロッド部、長いスティック型ロッド部、および板材をジグザグ切曲させたジグザグ型ロッド部の中いずれか一つを使ってコイル型ロッド部１７５の機能を遂行するように構成することもできる。そして、そのスティック型ロッド部(１７２、１７４)およびコイル型ロッド部１７５に一つ以上の接続端子を形成して必要な波長の電波を回路に連結することができる。そして、コイル型ロッド部、板型ロッド部、長いスティック型ロッド部、および板材をジグザグ切曲させたジグザグ型ロッド部の中いずれか一つ以上を直列に連結し、直列連結されたそのロッド部をコイル型ロッド部１７５の代りに使って構成することもできる。勿論、このロッド部に一つ以上の接続端子を形成して必要な波長の電波を回路に連結することができる。
【００５１】
図３Ｉは、本発明によるエヌエックスアンテナの第８実施例を示す斜視図である。図３Ｉを参照して第８実施例を詳しく説明する。
【００５２】
第８実施例は、ホルダー部１８１とスティック型ロッド部１８２とコイル型ロッド部１８３とを有する第２実施例のような構造でコイル型ロッド部１８３に板型ロッド部１８４をさらに連結する。このような複合構造のアンテナはホルダー部１８１とスティック型ロッド部１８２とコイル型ロッド部１８３と板型ロッド部１８４とが連結された形態である。スティック型ロッド部１８２にコイル型ロッド部１８３を連結して、コイル型ロッド部１８３に板型ロッド部１８４を連結する理由は、周波数の特性上アンテナの長さを長くする必要がある場合、すなわち低い周波数帯域に対して使用される時にアンテナの実際の長さは維持しながら全体有效長さをふやすためである。そして、そのスティック型ロッド部１８２とコイル型ロッド部１８３と板型ロッド部１８４に一つ以上の接続端子を形成して必要な波長の電波を回路に連結することができる。また、板型ロッド部１８４に再びスティック型ロッド部、コイル型ロッド部、板型ロッド部、ジグザグ型ロッド部等一つ以上の任意のロッド部をさらに連結してそれぞれに一つ以上の接続端子を形成し、必要な波長の電波を回路に連結することもできる。
【００５３】
図３Ｊは、本発明によるエヌエックスアンテナの第９実施例を示す斜視図である。図３Ｊを参照して第９実施例を詳しく説明する。
【００５４】
本実施例は、第４実施例の変形例であると言える。ホルダー部１９１とスティック型ロッド部１９２と板型ロッド部１９３とを有する第２実施例のような構造で板型ロッド部１９３にコイル型ロッド部１９４をさらに連結して、このコイル型ロッド部１９４に板型ロッド部１９５をさらに連結する。このような複合構造のアンテナは、ホルダー部１９１とスティック型ロッド部１９２と板型ロッド部１９３とコイル型ロッド部１９４と板型ロッド部１９５とが連結された形態である。スティック型ロッド部１９２に板型ロッド部１９３を連結して、板型ロッド部１９３にコイル型ロッド部１９４を連結して、コイル型ロッド部１９４に板型ロッド部１９５を連結する理由は、周波数の特性上、アンテナの長さを長くする必要がある場合、すなわち低い周波数帯域に対して使用される際にアンテナの実際の長さは維持しながら全体有效長さをふやすためである。そして、そのスティック型ロッド部１９２、板型ロッド部１９３、コイル型ロッド部１９４、および板型ロッド部１９５に一つ以上の接続端子を形成して必要な波長の電波を回路に連結することができる。また、この板型ロッド部１９５に再びスティック型ロッド部、コイル型ロッド部、板型ロッド部、ジグザグ型ロッド部等一つ以上の任意のロッド部をさらに連結してそれぞれに一つ以上の接続端子を形成し、必要な波長の電波を回路に連結することもできる。
【００５５】
第９実施例は、板型ロッド部(１９３、１９５)を２段で構成してその板型ロッド部(１９３、１９５)の間にコイル型ロッド部１９４を追加構成した構造であるが、コイル型ロッド部１９４の代りにスティック型ロッド部、コイル型ロッド部、板型ロッド部、ジグザグ型ロッド部等一つ以上の任意のロッド部を使って構成することもできる。もちろん、板型ロッド部も２段または多段で構成することもでき、コイル型ロッド部も少なくとも一つ以上挿入構成することができる。
【００５６】
図３Ｋは、本発明によるエヌエックスアンテナの第１０実施例を示す斜視図である。図３Ｋを参照して第１０実施例を詳しく説明する。
【００５７】
本実施例は、第１実施例と第４実施例を結合したのである。ホルダー部２１１とスティック型ロッド部２１２と板型ロッド部２１３とを有する第４実施例のような構造のアンテナ２１０を主アンテナ２１０として使用した。そして、第１実施例のような構造のアンテナ２２０を補助アンテナ２２０として使用した。本実施例は、主アンテナ２１０の板型ロッド部２１３の上面に補助アンテナ２２０のスティック型ロッド部を連結したのである。また、板型ロッド部２１３の大きさは、周波数特性と使用用途に応じて異なって設計され、主アンテナおよび補助アンテナを考慮して設計される。板型ロッド部２１３を使用する場合、高出力用途に適合して固定局や基地局アンテナ等として活用することができ、端末機側にも適用されることができる。
【００５８】
補助アンテナは、一つ以上連結することができる。そして、上述した実施例及び実施例の変形例の中で板型ロッド部を含む形態のアンテナであれば任意のいずれかのアンテナを主アンテナとして使用することができる。特に第４、８、９実施例で説明したアンテナは、主アンテナとして使用するのに適している。また、上述した実施例及び実施例の変形例の中、任意のいずれかのアンテナを補助アンテナとして使用することができる。
【００５９】
図３Ｌは、本発明によるエヌエックスアンテナの第１１実施例を示す斜視図である。図３Ｌを参照して第１１実施例を詳しく説明する。
【００６０】
本実施例は、第１実施例と第４実施例を第１０実施例とは異なる形態で結合したものである。ホルダー部２３１とスティック型ロッド部２３２と板型ロッド部２３３とを有する第４実施例のような構造のアンテナ２３０を主アンテナ２３０として使用した。そして、第１実施例のような構造のアンテナ２４０を補助アンテナ２４０として使用した。本実施例は、主アンテナ２３０の板型ロッド部２３３の下面に補助アンテナ２４０のスティック型ロッド部を連結したのである。補助アンテナは一つ以上連結することができる。また、板型ロッド部２１３の大きさは、周波数特性および使用用途に応じて異なって設計され、主アンテナと補助アンテナを考慮して設計される。板型ロッド部２３３を使用する場合、高出力用途に適合し、固定局や基地局アンテナ等として活用することができ、端末機側にも適用されることができる。
【００６１】
補助アンテナは一つ以上連結することができる。そして、上述した実施例及び実施例の変形例の中で板型ロッド部を含んだ形態のアンテナなら任意のいずれかのアンテナを主アンテナとして使用することができる。特に第４、８、９実施例で説明したアンテナは、主アンテナとして使用するのに適している。また、上述した実施例及び実施例の変形例の中の任意のいずれかのアンテナを補助アンテナとして使用することができる。
【００６２】
また、第１０実施例と第１１実施例とを結合して、主アンテナ(２１０、２３０)の板型ロッド部(２１３、２３３)の上面および下面に補助アンテナ(２２０、２４０)のスティック型ロッド部を連結することもできる。そして、補助アンテナは、一つ以上連結することができる。そして、上述した実施例及び実施例の変形例等の中で板型ロッド部を含む形態のアンテナであれば、任意のいずれかのアンテナを主アンテナとして使用することができる。特に、第４、８、９実施例で説明したアンテナは主アンテナとして使用するのに適している。また、上述した実施例及び実施例の変形例の中の任意のいずれかアンテナを補助アンテナとして使用することができる。
【００６３】
図４Ａは、本発明によるエヌエックスアンテナの第１２実施例を示す斜視図で、図４Ｂは、本発明によるエヌエックスアンテナの第１２実施例を示す構造図である。
【００６４】
第１２実施例は、第４実施例のような構造でスティック型ロッド部２５２がホルダー部２５１のふさがった端部の外側に連結された形態である。これは無線送受信のために使用される周波数と利得特性を考慮して共振が発生されるように直径及び長さが設計されて設置される構成である。スティック型ロッド部２５２に板型ロッド部２５３が連結されている。
【００６５】
その外にも第１実施例ないし第１１実施例及びその変形例の構成でホルダー部のふさがった端部とロッド部との連結部位をふさがった端部の内部の代わりに外部にして変形例を作ることができる。また第１２実施例とこの変形例のようにホルダー部のふさがった端部とロッド部との連結部位がふさがった端部の外部である構成と内部である構成を混合することもできる。特に第１０実施例と第１１実施例とこれらの変形例とこれらの組み合わされた変形例でも第１２実施例とこの変形例のようにホルダー部のふさがった端部とロッド部との連結部位がふさがった端部の外部である構成と内部である構成を混合することもできる。
【００６６】
上述した実施例と変形例でホルダー部とそのホルダー部に連結されるロッド部は一体型で構成される。各ロッド部は、他のロッド部の端部側の所定部位に結合してロッド部の末端がリードになって直接基板に熔接したり、別途のコネクターを利用して設置するように構成する。そして、ホルダー部も原型、多角筒型、しわ管型等多様な形状で作ることができる。また、ホルダー部は、中が空いた半球型で構成することができ、他のキャップ型でも構成することができる。そして上記板型ロッド部も円弧型しわを形成して構成することができる。これは表面積を広くするためである。
【００６７】
上記で例示して説明したように、本発明によるアンテナは図面が図示された例として限定されるのではなくてロッド部を切曲させてリードとして基板に挿入して半田付けしたり、またはコネクターに装着する。ホルダー部およびロッド部が基板と水平に設置して空間活用ができるように設置されることができる。また設置位置も基板の角一部を対角線で切断し、その切断した空間にアンテナが配置されるように設置することができ、任意の位置にアンテナを配置して設置することもできる。
【００６８】
このように、基本構造のエヌエックスアンテナは、ホルダー部およびロッド部によって周波数共振が発生するようになっており、図示しなかったが基板に形成された導電パターンの陰極部と対応してアンテナとしての機能を遂行する。このように、ホルダー部およびロッド部だけで構成して周波数共振特性を得ることができるのは、ホルダー部の溝によってアンテナの表面の長さが外形の長さより長くなって内部共振が発生され、一般的な通信用アンテナよりもさらに向上された高出力で送受信性能を得ることができる。
【００６９】
図５は、本発明によるエヌエックスアンテナの応用例示図である。図５を参照して本願発明のエヌエックスアンテナの応用例を説明すれば次のとおりである。
【００７０】
ＰＣＳ、ＤＣＳ、ＧＰＳ等周波数帯域が異なる場合に、アンテナをそれぞれ異なるように設計して構成しなければならない。したがって、任意の無線通信端末機を設計する際、一つのアンテナがある場合には、任意の単一周波数帯域でのみ使用が可能になる。このような点を勘案して、本発明では、アンテナのホルダー部２６１に連結された主ロッド部２６２を延長させるために補助ロッド部(２６３、２６４)を追加で構成する。そして、その補助ロッド部(２６３、２６４)では必要によって板型ロッド部２６３とコイル型ロッド部２６４とが選択された。周波数特性によってアンテナの長さを決める整合点(Ｐ１、Ｐ２、Ｐ３)を適切な位置に設計する。そして、各整合点(Ｐ１、Ｐに、Ｐ３)にそれぞれの周波数帯域に合う整合回路(２６５、２６６、２６７)を連結し、その整合回路(２６５、２６６、２６７)を選択する選択回路２６８を備えることで一つのアンテナを利用して多様な周波数帯域に応用することができるようになる。
【００７１】
図６は、本発明によるエヌエックスアンテナのコイル型補助ロッド部のパッケージの実施例の構造図である。図６を参照してエヌエックスアンテナのコイル型補助ロッド部のパッケージの構造を説明する。
【００７２】
ホルダー部および主ロッド部の結合や補助ロッド部をパッケージで構成すれば回路上に組立てて構成するのが容易である。図６は、その一例としてエヌエックスアンテナのコイル型補助ロッド部のパッケージの構造を示した。コイル２７３を絶縁樹脂２７２等にモールディングしてケース２７１に入れてコイル２７３を保護する。このようにパッケージ化されたコイル型補助ロッド部は弾性コネクター２７４によって回路に接続される。勿論、弾性コネクター２７４は、パッケージ化されたコイル型補助ロッド部の両方に接続されてコイル型補助ロッド部が固定されることができるように対で構成される。その外にもこのような方式で多様な補助ロッド部をパッケージ化することができる。そして、ホルダー部と主ロッド部とは、鋳物等の方法で一体型構造で構成することもできる。あるいは、ホルダー部と主ロッド部とを別に製作して、ホルダー部に結合穴を出して主ロッド部に結合段差部を形成してこの二つを挟んで合わせることで組み立て構成するように製作することもできる。各部品はメッキをしてアンテナの性能を安定するように構成する。
【００７３】
そして、アンテナは、アンテナ回路部に連結するための手段が必要である。一つのホルダー部と一つのロッド部とから成る構造で図面に図示しなかったが、ロッド部を直接基板に半田付け/熔接したり、ロッド部を挟むことができるコネクターを利用してアンテナ回路部に連結する。また、ホルダー部の端部を直接熔接して連結したり、コネクターを利用して構成することができる。また、ホルダー部を端末機ケースに挿入固定することができるようにして、これに対応して弾性を持ったコネクターを設置してロッド部をパッケージングして挟んで合わせる形態でアンテナ設置を簡便にできる。
【００７４】
図７は、本発明によるエヌエックスアンテナの第１３実施例を示す斜視図である。図７を参照して第１３実施例を説明する。
【００７５】
ホルダー部２８１のふさがった端部の外側にスティック型主ロッド部２８２が連結された基本構造で基板２８５上に回路パターンで形成された補助ロッド部２８３が連結された。この回路パターン、すなわち補助ロッド部２８３は、ホルダー部のふさがった端部の外部にスティック型ロッド部が接続されたアンテナ構造の縦断面のような形である。スティック型主ロッド部２８２と補助ロッド部２８３とが接続された位置に整合点２８４が決まり、その整合点に接続端子が形成され、ここに整合回路(図示せず)が連結される。
【００７６】
このように補助ロッド部は、基板上にパターンでも作ることができる。そのパターンは、Ｙ字形であったり、Ｔ字型であることもあり、第１３実施例のようにホルダー部のふさがった端部の外部にスティック型ロッド部が接続されたアンテナ構造の縦断面のような形であることもできる。しかし、上記のパターンは、三番目が一番望ましい。
【００７７】
なお、第１実施例ないし第１２実施例及びこれらの変形例と組み合わせ例にも第１３実施例を組み合わせることができる。
【産業上利用可能性】
【００７８】
以上で説明したように、本発明は、最小軽量化になっている無線通信器機用アンテナとして適合し、既存のアンテナに比して性能がすばらしく向上されたマイクロアンテナを提供することができる效果がある。本発明は、小型軽量化になっている移動電話端末機やＩＭＴ２０００用無線通信端末機、無線ＬＡＮ用通信端末機等の小型無線通信機器に適合し、特にマイクロ型の内・外装型アンテナとして適合し、固定局と固定局と間の無線通信、固定局と移動局と間の無線通信、移動局どうしの無線通信等に全て適用することができる效果がある。
【００７９】
以上で説明したように、本発明によるエヌエックスアンテナは中が空いたホルダー部およびロッド部だけで基本的なアンテナ構成が可能で、マイクロアンテナを提供することができ、低い周波数帯域に活用するため、多段構造、コイルを追加した複合構造、平板部を追加した構造、平板部上にメインアンテナ部と補助アンテナ部を共に複合的に構成する構造等々、アンテナが使用される用途と周波数特性等を考慮してその設計を多様に変形させることができる。
【図面の簡単な説明】
【００８０】
【図１】従来のヘリカル-ホイップ結合型アンテナを示す図示概念図である。
【図２Ａ】改善された従来のアンテナの構成を示す構造図である。
【図２Ｂ】改善された従来のアンテナの構成を示す構造図である。
【図３Ａ】本発明によるエヌエックスアンテナの第１実施例を示す斜視図である。
【図３Ｂ】本発明によるエヌエックスアンテナの第１実施例を示す構造図である。
【図３Ｃ】本発明によるエヌエックスアンテナの第２実施例を示す構造図である。
【図３Ｄ】本発明によるエヌエックスアンテナの第３実施例を示す構造図である。
【図３Ｅ】本発明によるエヌエックスアンテナの第４実施例を示す斜視図である。
【図３Ｆ】本発明によるエヌエックスアンテナの第５実施例を示す構造図である。
【図３Ｇ】本発明によるエヌエックスアンテナの第６実施例を示す構造図である。
【図３Ｈ】本発明によるエヌエックスアンテナの第７実施例を示す構造図である。
【図３Ｉ】本発明によるエヌエックスアンテナの第８実施例を示す斜視図である。
【図３Ｊ】本発明によるエヌエックスアンテナの第９実施例を示す斜視図である。
【図３Ｋ】本発明によるエヌエックスアンテナの第１０実施例を示す斜視図である。
【図３Ｌ】本発明によるエヌエックスアンテナの第１１実施例を示す斜視図である。
【図４Ａ】本発明によるエヌエックスアンテナの第１２実施例を示す斜視図である。
【図４Ｂ】本発明によるエヌエックスアンテナの第１２実施例を示す構造図である。
【図５】本発明によるエヌエックスアンテナの応用例を説明するための図である。
【図６】本発明によるエヌエックスアンテナのコイル型補助ロッド部のパッケージの実施例の構造を説明するための図である。
【図７】本発明によるエヌエックスアンテナの第１３実施例を示す斜視図である。
【符号の説明】
【００８１】
１…電話機の本体
２…ヘリカルアンテナ
３…ホイップアンテナ
４…金属コネクター
１０、２０…従来のアンテナ
１１、２１…第１本体部
１２、２２…第２本体部
１３、２３…スペイサー
１４、２４…アンテナ棒
１１１、１２１、１３１、１４１、１５１、１５３、１６１、１６３、１７１、１７３、１８１、１９１、２１１、２３１、２５１、２６１、２８１…ホルダー部
１１２、１２２、１３２、１４２、１５２、１５４、１６２、１６４、１７２、１７４、１８２、１９２、２１２、２３２、２５２、２８２…スティック型ロッド部
１２３、１６５、１７５、１８３、１９４、２６２、２６４…コイル型ロッド部
１３３…ジグザグ型ロッド部
１４３、１８４、１９３、１９５、２１３、２３３、２５３、２６３…板型ロッド部
２１０、２３０…主アンテナ、
２２０、２４０…補助アンテナ
Ｐ１、Ｐ２、Ｐ３、２８４…整合点
２６５、２６６、２６７…整合回路
２６８…選択回路
２７１…ケース
２７３…コイル
２７４…弾性コネクター
２８３…回路パターンが形成された補助ロット部
２８５…基板
【図１】
2005507596.tif 000003
【図２Ａ】
2005507596.tif 000004
【図２Ｂ】
2005507596.tif 000005
【図３Ａ】
2005507596.tif 000006
【図３Ｂ】
2005507596.tif 000007
【図３Ｃ】
2005507596.tif 000008
【図３Ｄ】
2005507596.tif 000009
【図３Ｅ】
2005507596.tif 000010
【図３Ｆ】
2005507596.tif 000011
【図３Ｇ】
2005507596.tif 000012
【図３Ｈ】
2005507596.tif 000013
【図３Ｉ】
2005507596.tif 000014
【図３Ｊ】
2005507596.tif 000015
【図３Ｋ】
2005507596.tif 000016
【図３Ｌ】
2005507596.tif 000017
【図４Ａ】
2005507596.tif 000018
【図４Ｂ】
2005507596.tif 000019
【図５】
2005507596.tif 000020
【図６】
2005507596.tif 000021
【図７】
2005507596.tif 000022
【国際公開パンフレット】
2005507596.tif 000023
2005507596.tif 000024
2005507596.tif 000025
2005507596.tif 000026
2005507596.tif 000027
2005507596.tif 000028
2005507596.tif 000029
2005507596.tif 000030
2005507596.tif 000031
2005507596.tif 000032
2005507596.tif 000033
2005507596.tif 000034
2005507596.tif 000035
2005507596.tif 000036
2005507596.tif 000037
2005507596.tif 000038
2005507596.tif 000039
2005507596.tif 000040
2005507596.tif 000041
2005507596.tif 000042
2005507596.tif 000043
2005507596.tif 000044
2005507596.tif 000045
2005507596.tif 000046
2005507596.tif 000047
2005507596.tif 000048
2005507596.tif 000049
2005507596.tif 000050
2005507596.tif 000051
2005507596.tif 000052
2005507596.tif 000053
2005507596.tif 000054
2005507596.tif 000055
2005507596.tif 000056
2005507596.tif 000057
2005507596.tif 000058
2005507596.tif 000059
2005507596.tif 000060
2005507596.tif 000061
2005507596.tif 000062
2005507596.tif 000063
2005507596.tif 000064
2005507596.tif 000065
2005507596.tif 000066
2005507596.tif 000067
2005507596.tif 000068
2005507596.tif 000069
2005507596.tif 000070
【国際調査報告】
2005507596.tif 000071
2005507596.tif 000072